(57)【特許請求の範囲】
【請求項１】
吸着ロータ（１１）と、上記吸着ロータ（１１）を経由する吸着通路に設けられた吸着ファン（１３）と、上記吸着ロータ（１１）を経由する脱着通路に設けられた脱着ファン（１５）と、上記脱着通路の上記吸着ロータ（１１）よりも上流側に設けられたヒータ（１７）とを備え、加湿運転または除湿運転の少なくとも一方を行う湿度調整装置であって、
上記脱着通路の上記吸着ロータ（１１）の下流側の加湿空気の温度を検出する加湿空気温度センサ（２１）と、
上記加湿空気温度センサ（２１）により検出された加湿空気の温度が上昇するときの温度勾配が所定値以上のときに上記吸着ロータ（１１）または上記吸着ファン（１３）の回転がロックしたことを検出するロック検出手段（３２ａ）とを備えたことを特徴とする湿度調整装置。
【請求項２】
吸着ロータ（１１）と、上記吸着ロータ（１１）を経由する吸着通路に設けられた吸着ファン（１３）と、上記吸着ロータ（１１）を経由する脱着通路に設けられた脱着ファン（１５）と、上記脱着通路の上記吸着ロータ（１１）よりも上流側に設けられたヒータ（１７）とを備え、加湿運転または除湿運転の少なくとも一方を行う湿度調整装置であって、
室外空気の温度を検出する外気温度センサ（２２）と、
上記脱着通路の上記吸着ロータ（１１）の下流側の加湿空気の温度を検出する加湿空気温度センサ（２１）と、
上記外気温度センサ（２２）により検出された室外空気の温度と上記加湿空気温度センサ（２１）により検出された加湿空気の温度との温度差が増大するときの温度差の勾配が所定値以上のときに上記吸着ロータ（１１）または上記吸着ファン（１３）の回転がロックしたことを検出するロック検出手段（３２ａ）とを備えたことを特徴とする湿度調整装置。
【請求項３】
吸着ロータ（１１）と、上記吸着ロータ（１１）を経由する吸着通路に設けられた吸着ファン（１３）と、上記吸着ロータ（１１）を経由する脱着通路に設けられた脱着ファン（１５）と、上記脱着通路の上記吸着ロータ（１１）よりも上流側に設けられたヒータ（１７）とを備え、加湿運転または除湿運転の少なくとも一方を行う湿度調整装置であって、
室外空気の温度を検出する外気温度センサ（２２）と
上記吸着通路の上記吸着ロータ（１１）の下流側の除湿空気の温度を検出する除湿空気温度センサ（２５）と、
上記除湿空気温度センサに（２５）より検出された除湿空気の温度が上記外気温度センサ（２２）によって検出された室外空気の温度より一定値以上上昇しないとき、上記吸着ロータ（１１）または上記吸着ファン（１３）の回転がロックしたことを検出するロック検出手段（３２ａ）とを備えたことを特徴とする湿度調整装置。
【請求項４】
吸着ロータ（１１）と、上記吸着ロータ（１１）を経由する吸着通路に設けられた吸着ファン（１３）と、上記吸着ロータ（１１）を経由する脱着通路に設けられた脱着ファン（１５）と、上記脱着通路の上記吸着ロータ（１１）よりも上流側に設けられたヒータ（１７）とを備え、加湿運転または除湿運転の少なくとも一方を行う湿度調整装置であって、
上記脱着通路の上記吸着ロータ（１１）の下流側の加湿空気の温度を検出する加湿空気温度センサ（２１）と、
上記吸着通路の上記吸着ロータ（１１）の下流側の除湿空気の温度を検出する除湿空気温度センサ（２５）と、
上記加湿空気温度センサ（２１）により検出された加湿空気の温度が上昇するときの温度勾配が加湿空気用所定値以上で、かつ、上記除湿空気温度センサに（２５）より検出された除湿空気の温度が下降するときの温度勾配が除湿空気用所定値以上であるとき、上記吸着ロータ（１１）または上記吸着ファン（１３）の回転がロックしたことを検出するロック検出手段（３２ａ）とを備えたことを特徴とする湿度調整装置。
【請求項５】
吸着ロータ（１１）と、上記吸着ロータ（１１）を経由する吸着通路に設けられた吸着ファン（１３）と、上記吸着ロータ（１１）を経由する脱着通路に設けられた脱着ファン（１５）と、上記脱着通路の上記吸着ロータ（１１）よりも上流側に設けられたヒータ（１７）とを備え、加湿運転または除湿運転の少なくとも一方を行う湿度調整装置であって、
上記脱着通路の上記吸着ロータ（１１）の下流側の加湿空気の相対湿度を検出する加湿空気湿度センサ（２４）と、
上記加湿空気湿度センサ（２４）により検出された加湿空気の相対湿度が下降するときの相対湿度の勾配が所定値以上のときに上記吸着ロータ（１１）または上記吸着ファン（１３）の回転がロックしたことを検出するロック検出手段（３２ａ）とを備えたことを特徴とする湿度調整装置。
【請求項６】
請求項１乃至５のいずれか１つに記載の湿度調整装置において、
上記ロック検出手段（３２ａ）により上記吸着ロータ（１１）または上記吸着ファン（１３）の回転がロックしたときに人に通知する通知手段（６）を備えたことを特徴とする湿度調整装置。
【請求項７】
請求項１乃至６のいずれか１つに記載の湿度調整装置を用いたことを特徴とする空気調和機。
【発明の詳細な説明】
【０００１】
【発明の属する技術分野】
この発明は、加湿運転または除湿運転の少なくとも一方を行う湿度調整装置および空気調和機に関する。
【０００２】
【従来の技術および発明が解決しようとする課題】
従来、湿度調整装置としては、吸着ロータで水分を吸着，脱着させるものがある。この温度調整装置は、吸着ロータを駆動するモータがロックしたり、水分を吸着させる吸着ファンを駆動するモータがロックした場合、吸着ロータが乾燥して、吸着ロータの脱着領域の下流側の加湿空気の温度が上昇するため、温度センサによって加湿空気の温度上昇を判断し、ヒータの出力を低下させたりヒータをオフにしたりしている。ところが、室外空気の相対湿度が低くなった場合も加湿空気の温度が上昇するので、ユーザーは、機械の故障なのかまたは室外空気の相対湿度の低下による一時的な保護なのかを認識できなかった。上記吸着ロータを回転させるモータおよび吸着ファンのモータのロックを検出できればよいが、モータのロックを機械的，光学的および電気的な手段により認識しようとすると、コストが高くつくという問題がある。
【０００３】
そこで、この発明の目的は、専用のセンサを用いることなく吸着ロータや吸着ファンのロックを低コストで確実に検出できると共に、吸着ロータや吸着ファンがロックしたことをユーザーに知らせることができる湿度調整装置およびそれを用いた空気調和機を提供することにある。
【０００４】
【課題を解決するための手段】
上記目的を達成するため、請求項１の湿度調整装置は、吸着ロータと、上記吸着ロータを経由する吸着通路に設けられた吸着ファンと、上記吸着ロータを経由する脱着通路に設けられた脱着ファンと、上記脱着通路の上記吸着ロータよりも上流側に設けられたヒータとを備え、加湿運転または除湿運転の少なくとも一方を行う湿度調整装置であって、上記脱着通路の上記吸着ロータの下流側の加湿空気の温度を検出する加湿空気温度センサと、上記加湿空気温度センサにより検出された加湿空気の温度が上昇するときの温度勾配が所定値以上のときに上記吸着ロータまたは上記吸着ファンの回転がロックしたことを検出するロック検出手段とを備えたことを特徴としている。
【０００５】
上記請求項１の湿度調整装置によれば、上記吸着通路に設けられた吸着ファンにより上記吸着ロータに外気を通過させて、外気から吸着ロータの吸着通路に面する領域に水分を吸着させて除湿する。一方、上記脱着通路に設けられた脱着ファンによって吸着ロータにヒータで加熱された外気を通過させて、吸着ロータの脱着通路に面する領域の水分を脱着させて加湿する。このとき、上記吸着ロータまたは吸着ファンの回転がロック（異常による停止）した場合、吸着ロータに吸着していた水分がなくなり水分の放出がないので、加湿空気の相対湿度が低下し、それと共に加湿空気の温度が急上昇する（気化熱による冷却がなくなるため）。そこで、上記加湿空気温度センサにより脱着通路の吸着ロータの下流側の加湿空気の温度を検出して、上記ロック検出手段によって、加湿空気温度センサにより検出された加湿空気の温度が上昇するときの温度勾配が所定値以上であるときに吸着ロータまたは吸着ファンの回転がロックしたことを検出する。したがって、専用のセンサを用いることなく、吸着ロータや吸着ファンのロックを低コストで正確に検出できる。
【０００６】
また、請求項２の湿度調整装置は、吸着ロータと、上記吸着ロータを経由する吸着通路に設けられた吸着ファンと、上記吸着ロータを経由する脱着通路に設けられた脱着ファンと、上記脱着通路の上記吸着ロータよりも上流側に設けられたヒータとを備え、加湿運転または除湿運転の少なくとも一方を行う湿度調整装置であって、室外空気の温度を検出する外気温度センサと、上記脱着通路の上記吸着ロータの下流側の加湿空気の温度を検出する加湿空気温度センサと、上記外気温度センサにより検出された室外空気の温度と上記加湿空気温度センサにより検出された加湿空気の温度との温度差が増大するときの温度差の勾配が所定値以上のときに上記吸着ロータまたは上記吸着ファンの回転がロックしたことを検出するロック検出手段とを備えたことを特徴としている。
【０００７】
上記請求項２の湿度調整装置によれば、上記吸着通路に設けられた吸着ファンにより上記吸着ロータに外気を通過させて、外気から吸着ロータの吸着通路に面する領域に水分を吸着させて除湿する。一方、上記脱着通路に設けられた脱着ファンによって吸着ロータにヒータで加熱された外気を通過させて、吸着ロータの脱着通路に面する領域の水分を脱着させて加湿する。このとき、上記吸着ロータまたは吸着ファンの回転がロック（異常による停止）した場合、吸着ロータに吸着していた水分がなくなり水分の放出がないので、加湿空気の相対湿度が低下し、それと共に加湿空気の温度が急上昇する。そこで、上記外気温度センサにより室外空気の温度を検出すると共に、加湿空気温度センサにより脱着通路の吸着ロータの下流側の加湿空気の温度を検出して、上記ロック検出手段によって、外気温度センサにより検出された室外空気の温度と加湿空気温度センサにより検出された加湿空気の温度との温度差が増大するときの温度差の勾配が所定値以上のときに吸着ロータまたは吸着ファンの回転がロックしたことを検出する。これにより、室外空気の温度の変化に影響されることなく、専用のセンサを用いることもなく、吸着ロータや吸着ファンのロックを低コストで確実に検出できる。
【０００８】
また、請求項３の湿度調整装置は、吸着ロータと、上記吸着ロータを経由する吸着通路に設けられた吸着ファンと、上記吸着ロータを経由する脱着通路に設けられた脱着ファンと、上記脱着通路の上記吸着ロータよりも上流側に設けられたヒータとを備え、加湿運転または除湿運転の少なくとも一方を行う湿度調整装置であって、室外空気の温度を検出する外気温度センサと、上記吸着通路の上記吸着ロータの下流側の除湿空気の温度を検出する除湿空気温度センサと、上記除湿空気温度センサにより検出された除湿空気の温度が上記外気温度センサによって検出された室外空気の温度より一定値以上上昇しないとき、上記吸着ロータまたは上記吸着ファンの回転がロックしたことを検出するロック検出手段とを備えたことを特徴としている。
【０００９】
上記請求項３の湿度調整装置によれば、上記吸着通路に設けられた吸着ファンにより上記吸着ロータに外気を通過させて、外気から吸着ロータの吸着通路に面する領域に水分を吸着させて除湿する。このとき、上記吸着ロータまたは吸着ファンの回転がロック（異常による停止）した場合、吸着ロータから吸着通路への熱ロスが無くなるため、吸着通路の空気の温度上昇がない。そこで、上記除湿空気温度センサにより除湿空気の温度を検出して、上記ロック検出手段によって、上記除湿空気温度センサにより検出された除湿空気の温度が上記外気温度センサにより検出された室外空気の温度より一定値以上上昇しないとき、吸着ロータまたは吸着ファンの回転がロックしたことを検出する。これにより、専用のセンサを用いることなく、吸着ロータや吸着ファンのロックを低コストで確実に検出できる。
【００１０】
また、請求項４の湿度調整装置は、吸着ロータと、上記吸着ロータを経由する吸着通路に設けられた吸着ファンと、上記吸着ロータを経由する脱着通路に設けられた脱着ファンと、上記脱着通路の上記吸着ロータよりも上流側に設けられたヒータとを備え、加湿運転または除湿運転の少なくとも一方を行う湿度調整装置であって、上記脱着通路の上記吸着ロータの下流側の加湿空気の温度を検出する加湿空気温度センサと、上記吸着通路の上記吸着ロータの下流側の除湿空気の温度を検出する除湿空気温度センサと、上記加湿空気温度センサにより検出された加湿空気の温度が上昇するときの温度勾配が加湿空気用所定値以上で、かつ、上記除湿空気温度センサにより検出された除湿空気の温度が下降するときの温度勾配が除湿空気用所定値以上であるとき、上記吸着ロータまたは上記吸着ファンの回転がロックしたことを検出するロック検出手段とを備えたことを特徴としている。
【００１１】
上記請求項４の湿度調整装置によれば、上記吸着通路に設けられた吸着ファンにより上記吸着ロータに外気を通過させて、外気から吸着ロータの吸着通路に面する領域に水分を吸着させて除湿する。一方、上記脱着通路に設けられた脱着ファンによって吸着ロータにヒータで加熱された外気を通過させて、吸着ロータの脱着通路に面する領域の水分を脱着させて加湿する。このとき、上記吸着ロータまたは吸着ファンの回転がロック（異常による停止）した場合、吸着ロータに吸着していた水分がなくなり水分の放出がないので、加湿空気の相対湿度が低下し、それと共に加湿空気の温度が急上昇する。そこで、上記加湿空気温度センサにより脱着通路の吸着ロータの下流側の加湿空気の温度を検出すると共に、除湿空気温度センサにより除湿空気の温度を検出して、上記ロック検出手段によって、加湿空気温度センサにより検出された加湿空気の温度が上昇するときの温度勾配が加湿空気用所定値以上で、かつ、上記除湿空気温度センサにより検出された除湿空気の温度が下降するときの温度勾配が除湿空気用所定値以上であるとき、吸着ロータまたは吸着ファンの回転がロックしたことを検出する。これにより、専用のセンサを用いることなく、吸着ロータや吸着ファンのロックを低コストで確実に検出できる。
【００１２】
また、請求項５の湿度調整装置は、吸着ロータと、上記吸着ロータを経由する吸着通路に設けられた吸着ファンと、上記吸着ロータを経由する脱着通路に設けられた脱着ファンと、上記脱着通路の上記吸着ロータよりも上流側に設けられたヒータとを備え、加湿運転または除湿運転の少なくとも一方を行う湿度調整装置であって、上記脱着通路の上記吸着ロータの下流側の加湿空気の相対湿度を検出する加湿空気湿度センサと、上記加湿空気湿度センサにより検出された加湿空気の相対湿度が下降するときの相対湿度の勾配が所定値以上のときに上記吸着ロータまたは上記吸着ファンの回転がロックしたことを検出するロック検出手段とを備えたことを特徴としている。
【００１３】
上記請求項５の湿度調整装置によれば、上記吸着通路に設けられた吸着ファンにより上記吸着ロータに外気を通過させて、外気から吸着ロータの吸着通路に面する領域に水分を吸着させて除湿する。一方、上記脱着通路に設けられた脱着ファンによって吸着ロータにヒータで加熱された外気を通過させて、吸着ロータの脱着通路に面する領域の水分を脱着させて加湿する。このとき、上記吸着ロータまたは吸着ファンの回転がロック（異常による停止）した場合、吸着ロータに吸着していた水分がなくなり水分の放出がないので、加湿空気の相対湿度が低下し、それと共に加湿空気の温度が急上昇する。そこで、上記加湿空気湿度センサにより脱着通路の吸着ロータの下流側の加湿空気の相対湿度を検出して、上記ロック検出手段によって加湿空気湿度センサにより検出された加湿空気の相対湿度が下降するときの相対湿度勾配が所定値以上であるときに吸着ロータまたは吸着ファンの回転がロックしたことを検出する。したがって、専用のセンサを用いることなく、加湿空気の湿度制御用の湿度センサを用いて吸着ロータや吸着ファンのロックを検出できる。
【００１４】
また、請求項６の湿度調整装置は、請求項１乃至５のいずれか１つに記載の湿度調整装置において、上記ロック検出手段により上記吸着ロータまたは上記吸着ファンの回転がロックしたときに人に通知する通知手段を備えたことを特徴としている。
【００１５】
上記請求項６の湿度調整装置によれば、上記通知手段によって、吸着ロータまたは吸着ファンの回転がロックしたことをユーザーに知らせることができ、それによってユーザーは適切な対応ができる。
【００１６】
また、請求項７の空気調和機は、請求項１乃至６のいずれか１つの湿度調整装置を用いたことを特徴としている。
【００１７】
上記請求項６の空気調和機によれば、上記湿度調整装置の吸着ロータや吸着ファンのロックを専用のセンサを用いることなく低コストで確実に検出できる。
【００１８】
【発明の実施の形態】
以下、この発明の湿度調整装置およびそれを用いた空気調和機を図示の実施の形態により詳細に説明する。
【００１９】
（第１実施形態）
図１はこの発明の第１実施形態の湿度調整装置としての加湿装置を用いた空気調和機の要部の構成図であり、この空気調和機は、室内ユニット１と、室外ユニット２と、上記室外ユニット２の上部に配置された加湿装置３とを備えている。上記室内ユニット１と加湿装置３とを搬送通路としての加湿ダクト４を介して接続している。この加湿装置３を用いた空気調和機は、加湿装置３から加湿ダクト４を介して室内ユニット１に加湿空気を供給して、室内を加湿する。
【００２０】
また、図２は図１の要部のブロック図を示しており、加湿装置３は、ケーシング（図示せず）内に円板状の吸着ロータ１１を配置している。この吸着ロータ１１は、シリカゲル，ゼオライト，アルミナ等の吸着材が例えばハニカム状または多孔多粒状に成形されており、軸１１ａを中心に吸着ロータ用モータ１２によって回転する。また、上記ケーシング内を仕切り板（図示せず）で仕切って、吸着ロータ１１の各部を経由する吸着通路Ａと脱着通路Ｂとを形成している。上記吸着通路Ａの吸着ロータ１１よりも下流側に吸着ファン１３を設け、その吸着ファン１３を駆動する吸着ファン用モータ１４を設けている。上記吸着ロータ１１は、吸着通路Ａを矢印の方向に流れる空気から吸湿する（水分を吸着する）。
【００２１】
一方、上記脱着通路Ｂの吸着ロータ１１よりも下流側に脱着ファン１５を設け、その脱着ファン１５を駆動する脱着ファン用モータ１６を設けて、空気を矢印に示すように吸引して流すようにしている。上記脱着通路Ｂの吸着ロータ１１よりも上流側の部分にヒータ１７を設けて、このヒータ１７で加熱された空気が吸着ロータ１１を通るときに、吸着ロータ１１によって加湿される（吸着ロータ１１から水分を脱着する）。このように、上記吸着通路Ａの空気から吸着ロータ１１が吸着した水分は、ヒータ１７によって加熱された空気によって脱着されて、この空気が加湿される。そうして加湿された空気は、脱着ファン１５によって加湿ダクト４に送られる。
【００２２】
また、図２は上記空気調和機の要部の構成図である。図２において、２１は上記加湿ダクト４の脱着ファン１５の下流側近傍に配置され、加湿空気の温度を検出する加湿空気温度センサ、２２は室外空気の温度を検出する外気温度センサとしての室外温度センサ、２３は室外空気の相対湿度を検出する室外湿度センサである。また、３１は室内ファン（図示せず）等を制御する室内制御部、３２は上記加湿空気温度センサ２１，室外温度センサ２２および室外温度センサ２３からの信号を受けて、圧縮機（図示せず）等を制御する室外制御部、３３は上記室外制御部３２からの信号を受けて、加湿運転を制御する加湿運転制御部である。上記室外制御部３２は、吸着ロータ１１または吸着ファン１３の回転がロックしたことを検出するロック検出手段３２ａを有している。また、上記加湿運転制御部３３は、吸着ロータ用モータ１２，吸着ファン用モータ１４，脱着ファン用モータ１６およびヒータ１７を制御する。
【００２３】
また、室内ユニット本体５に通知手段としての表示部６を備え、この表示部６は、ロック検出手段３２ａにより検出された吸着ロータ１１（または吸着ファン１３）のロックを表示して、ユーザーに通知する。
【００２４】
図３は上記加湿運転制御部３３のロック検出処理を説明するフローチャートを示している。以下、図３に従って吸着ロータ１１のロックを検出する処理について説明する。
【００２５】
まず、処理がスタートすると、ステップＳ１で加湿運転を開始する。
次に、ステップＳ２に進み、加湿量が急激に低下するような現象を認識したか否かを判別する。すなわち、吸着ロータ１１または吸着ファン１３がロック状態になると、脱着通路Ｂに面する吸着ロータ１１の領域が乾燥し、水分の脱着が行われなくなって気化熱が奪われなくなるため、加湿空気（実際には加湿量が急減に低下して乾燥）の温度が急上昇する。そこで、上記加湿空気温度センサ２１により検出された加湿空気の温度が上昇したときの温度勾配が所定値以上であるか否かを判別することにより、加湿量が急減に低下したかどうかを判別するのである。
そして、ステップＳ２で加湿量が急激に低下するような現象を認識した場合、ステップＳ３に進む一方、ステップＳ２で加湿量が急激に低下するような現象を認識しない場合、ステップＳ７に進み、正常であると判定して、ステップＳ２に戻る。
また、ステップＳ３で吸着ロータ１１（または吸着ファン１３）を回転させるモータ以外のアクチュエータが正常か否かを判別して、吸着ロータ１１（または吸着ファン１３）を回転させるモータ以外のアクチュエータが正常であると判別すると、ステップＳ４に進み、吸着ロータ１１がロック状態であると判定して、ステップＳ６に進む。
一方、ステップＳ３で吸着ロータ１１（または吸着ファン１３）を回転させるモータ以外のアクチュエータが正常でないと判別すると、ステップＳ５に進み、吸着ロータ１１（または吸着ファン１３）のロック以外の異常であると判定して、ステップＳ６に進む。
そして、ステップＳ６で表示部６に故障内容を表示することによりユーザに故障を認識させて、ステップＳ２に戻る。
【００２６】
このように、上記第１実施形態の湿度調整装置としての加湿装置を用いた空気調和機では、専用のセンサを用いることなく、吸着ロータ１１や吸着ファン１３のロックを低コストで正確に検出できる。
【００２７】
また、上記表示部６によって、吸着ロー１１または吸着ファン１３の回転がロックしたことをユーザーに知らせることができ、それによってユーザーは適切な対応が迅速に行える。
【００２８】
（第２実施形態）
次に、この発明の第２実施形態の湿度調整装置としての加湿装置を用いた空気調和機について説明する。この第２実施形態の加湿装置を用いた空気調和機は、ロック検出手段の処理を除いて第１実施形態の加湿装置を用いた空気調和機と同一の構成をしており、図１を援用する。
【００２９】
上記加湿装置を用いた空気調和機では、室外温度センサ２２により検出された室外空気の温度と加湿空気温度センサ２１により検出された加湿空気の温度との温度差が増大するときの温度差の勾配が所定値以上のときに、ロック検出手段３２ａによって吸着ロータ１１または吸着ファン１３の回転がロックしたことを検出する。すなわち、加湿量が急激に低下するような現象が発生したことを認識するのである。これにより、外気の温度の変化に影響されることなく、専用のセンサを用いることもなく、吸着ロータ１１や吸着ファン１３のロックを低コストで確実に検出することができる。
【００３０】
また、第１実施形態の加湿装置を用いた空気調和機と同様に、表示部６によって、吸着ロー１１または吸着ファン１３の回転がロックしたことをユーザーに知らせることができ、それによってユーザーは適切な対応が迅速に行える。
【００３１】
（第３実施形態）
次に、この発明の第３実施形態の湿度調整装置としての加湿装置を用いた空気調和機について説明する。この第３実施形態の加湿装置を用いた空気調和機は、ロック検出手段の処理と除湿空気温度センサを除いて第１実施形態の加湿装置を用いた空気調和機と同一の構成をしており、図１を援用する。なお、この加湿装置を用いた空気調和機は、脱着通路Ａの吸着ロータ１１の下流側の除湿空気の温度を検出する除湿空気温度センサ２５を備えている。上記除湿空気温度センサ２５の信号は、加湿運転制御部３３を介して室外制御部３２に入力される。
【００３２】
上記加湿装置を用いた空気調和機では、加湿空気温度センサ２１により検出された加湿空気の温度が上昇するときの温度勾配が加湿空気用所定値以上で、かつ、除湿空気温度センサ２５により検出された除湿空気の温度が下降するときの温度勾配が除湿空気用所定値以上であるときに、ロック検出手段３２ａによって吸着ロータ１１または吸着ファン１３の回転がロックしたことを検出する。すなわち、加湿量が急激に低下するような現象が発生したことを認識するのである。これにより、専用のセンサを用いることなく、吸着ロータ１１や吸着ファン１３のロックを低コストで確実に検出することができる。
【００３３】
また、第１実施形態の加湿装置を用いた空気調和機と同様に、表示部６によって、吸着ロー１１または吸着ファン１３の回転がロックしたことをユーザーに知らせることができ、それによってユーザーは適切な対応が迅速に行える。
【００３４】
（第４実施形態）
次に、この発明の第４実施形態の湿度調整装置としての加湿装置を用いた空気調和機について説明する。この第４実施形態の加湿装置を用いた空気調和機は、ロック検出手段の処理と加湿空気湿度センサを除いて第１実施形態の加湿装置を用いた空気調和機と同一の構成をしており、図１を援用する。上記加湿装置を用いた空気調和機では、加湿空気温度センサ２１の代わりに加湿空気湿度センサ２４を配置している。この加湿空気湿度センサ２４は、加湿空気の湿度制御に用いられる。
【００３５】
上記加湿装置を用いた空気調和機では、加湿空気湿度センサ２４により検出された加湿空気の相対湿度が下降するときの相対湿度勾配が所定値以上であるときに、ロック検出手段３２ａによって吸着ロータ１１または吸着ファン１３の回転がロックしたことを検出する。すなわち、加湿量が急激に低下するような現象が発生したことを認識するのである。これにより、専用のセンサを用いることなく、加湿空気の湿度制御用の湿度センサを用いて吸着ロータ１１や吸着ファン１３のロックを低コストで確実に検出することができる。
【００３６】
また、第１実施形態の加湿装置を用いた空気調和機と同様に、表示部６によって、吸着ロー１１または吸着ファン１３の回転がロックしたことをユーザーに知らせることができ、それによってユーザーは適切な対応が迅速に行える。
【００３７】
上記第１〜第４実施形態では、湿度調整装置として加湿装置を用いた空気調和機について説明したが、除湿運転を行う湿度調整装置にこの発明を適用してもよいし、加湿と除湿の両方の機能を有する湿度調整装置にこの発明を適用してもよい。
【００３８】
また、上記第１〜第４実施形態の加湿装置を用いた空気調和機におけるロック検出方法のうちの少なくとも２つを組み合わせて、吸着ロータまたは吸着ファンの回転のロックを検出してもよい。
【００３９】
【発明の効果】
以上より明らかなように、請求項１の発明の湿度調整装置は、吸着ロータと、上記吸着ロータを経由する吸着通路に設けられた吸着ファンと、上記吸着ロータを経由する脱着通路に設けられた脱着ファンと、上記脱着通路の吸着ロータよりも上流側に設けられたヒータとを備え、加湿運転または除湿運転の少なくとも一方を行う湿度調整装置であって、加湿空気温度センサにより脱着通路の吸着ロータの下流側の加湿空気の温度を検出して、ロック検出手段によって、加湿空気温度センサにより検出された加湿空気の温度が上昇するときの温度勾配が所定値以上であるときに吸着ロータまたは吸着ファンの回転がロックしたことを検出するので、専用のセンサを用いることなく、吸着ロータや吸着ファンのロックを低コストで正確に検出することができる。
【００４０】
また、請求項２の発明の湿度調整装置は、吸着ロータと、上記吸着ロータを経由する吸着通路に設けられた吸着ファンと、上記吸着ロータを経由する脱着通路に設けられた脱着ファンと、上記脱着通路の吸着ロータよりも上流側に設けられたヒータとを備え、加湿運転または除湿運転の少なくとも一方を行う湿度調整装置であって、外気温度センサにより室外空気の温度を検出すると共に、加湿空気温度センサにより脱着通路の吸着ロータの下流側の加湿空気の温度を検出して、ロック検出手段によって、外気温度センサにより検出された室外空気の温度と加湿空気温度センサにより検出された加湿空気の温度との温度差が増大するときの温度差の勾配が所定値以上のときに吸着ロータまたは吸着ファンの回転がロックしたことを検出するので、外気の温度の変化に影響されることなく、専用のセンサを用いることもなく、吸着ロータや吸着ファンのロックを低コストで確実に検出することができる。
【００４１】
また、請求項３の発明の湿度調整装置は、吸着ロータと、上記吸着ロータを経由する吸着通路に設けられた吸着ファンと、上記吸着ロータを経由する脱着通路に設けられた脱着ファンと、上記脱着通路の吸着ロータよりも上流側に設けられたヒータとを備え、加湿運転または除湿運転の少なくとも一方を行う湿度調整装置であって、外気温度センサにより室外空気の温度を検出すると共に、除湿空気温度センサにより除湿空気の温度を検出して、ロック検出手段によって、上記除湿空気温度センサにより検出された除湿空気の温度が外気温度センサにより検出された室外空気の温度より一定値以上上昇しないとき、吸着ロータまたは吸着ファンの回転がロックしたことを検出するので、専用のセンサを用いることなく、吸着ロータや吸着ファンのロックを低コストで確実に検出することができる。
【００４２】
また、請求項４の発明の湿度調整装置は、吸着ロータと、上記吸着ロータを経由する吸着通路に設けられた吸着ファンと、上記吸着ロータを経由する脱着通路に設けられた脱着ファンと、上記脱着通路の吸着ロータよりも上流側に設けられたヒータとを備え、加湿運転または除湿運転の少なくとも一方を行う湿度調整装置であって、加湿空気温度センサにより脱着通路の吸着ロータの下流側の加湿空気の温度を検出すると共に、除湿空気温度センサにより除湿空気の温度を検出して、ロック検出手段によって、加湿空気温度センサにより検出された加湿空気の温度が上昇するときの温度勾配が加湿空気用所定値以上で、かつ、上記除湿空気温度センサにより検出された除湿空気の温度が下降するときの温度勾配が除湿空気用所定値以上であるとき、吸着ロータまたは吸着ファンの回転がロックしたことを検出するので、専用のセンサを用いることなく、吸着ロータや吸着ファンのロックを低コストで確実に検出することができる。
【００４３】
また、請求項５の発明の湿度調整装置は、吸着ロータと、上記吸着ロータを経由する吸着通路に設けられた吸着ファンと、上記吸着ロータを経由する脱着通路に設けられた脱着ファンと、上記脱着通路の吸着ロータよりも上流側に設けられたヒータとを備え、加湿運転または除湿運転の少なくとも一方を行う湿度調整装置であって、加湿空気湿度センサにより脱着通路の吸着ロータの下流側の加湿空気の相対湿度を検出して、ロック検出手段によって加湿空気湿度センサにより検出された加湿空気の相対湿度が下降するときの相対湿度勾配が所定値以上であるときに吸着ロータまたは吸着ファンの回転がロックしたことを検出するので、専用のセンサを用いることなく、加湿空気の湿度制御用の湿度センサを用いて吸着ロータや吸着ファンのロックを検出することができる。
【００４４】
また、請求項６の発明の湿度調整装置は、請求項１乃至５のいずれか１つに記載の湿度調整装置において、上記ロック検出手段により上記吸着ロータまたは上記吸着ファンの回転がロックしたときに通知手段によって人にそのことを知らせることができ、それによってユーザーは適切に対応することができる。
【００４５】
また、請求項７の発明の空気調和機は、請求項１乃至６のいずれか１つの湿度調整装置の吸着ロータや吸着ファンのロックを専用のセンサを用いることなく低コストで低コストで確実に検出することができる。
【図面の簡単な説明】
【図１】図１はこの発明の第１実施形態の加湿装置を用いた空気調和機の概略ブロック図である。
【図２】図２は上記空気調和機の要部の構成図である。
【図３】図３は上記空気調和機の動作を説明するフローチャートである。
【符号の説明】
１…室内ユニット、
２…室外ユニット、
３…湿度調整装置、
４…加湿ダクト、
５…室内ユニット本体、
６…表示部、
１１…吸着ロータ、
１２…吸着ロータ用モータ、
１３…吸着ファン、
１４…吸着ファン用モータ、
１５…脱着ファン、
１６…脱着ファン用モータ、
１７…ヒータ、
２１…加湿空気温度センサ、
２２…室外温度センサ、
２３…室外湿度センサ、
２４…加湿空気湿度センサ、
２５…除湿空気温度センサ、
３１…室内制御部、
３２…室外制御部、
３２ａ…ロック検出手段、
３３…加湿運転制御部。
【図１】
0003627689.tif 000002
【図２】
0003627689.tif 000003
【図３】
0003627689.tif 000004